【事件の表示】
　特願２００９−１５０８５６「シート束断裁装置及びこれを備えた製本装置」拒絶査定不服審判事件〔平成２３年　１月１３日出願公開、特開２０１１−　　５５８５〕について、次のとおり審決する。
【結　論】
　本件審判の請求は、成り立たない。
【理　由】
第１　手続の経緯
　本件出願は、平成２１年６月２５日を出願日とする出願であって、その手続の経緯は以下のとおりである。
　平成２５年　８月１６日付け：拒絶理由の通知
　平成２５年１０月１７日　　：意見書及び手続補正書の提出
　平成２５年１２月２４日付け：拒絶査定
　平成２６年　４月２５日　　：審判請求書及び手続補正書の提出
　
第２　平成２６年４月２５日付けの手続補正についての補正の却下の決定
［補正の却下の決定の結論］
　平成２６年４月２５日付けの手続補正を却下する。
　
［理由］
１　補正後の特許請求の範囲の記載
　平成２６年４月２５日付けの手続補正（以下「本件補正」という）により、特許請求の範囲の請求項１の記載は、次のとおり補正された。（下線部は、補正箇所である。）
　「紙載台上のシート束を所定の切断線に沿って一端から他端に徐々に断裁するシート束断裁装置であって、
シート束を積載支持する紙載台と、
平刃形状の断裁刃と、
前記断裁刃を取り付けるカムプレートと、
前記カムプレートを
前記カムプレート
前記紙載台上のシート束の紙面に対する断裁刃の刃先角度を規制するカム手段と、
を備え、
前記カム手段は、前記フレーム部材と前記カムプレートとの、一方に形成された溝カムと、他方に形成されたカムフォロアで構成され、
　上記補正は、本件補正前の請求項１に係る発明の特定事項である「カム手段」を、「
前記断裁刃を取り付けるカムプレートと、前記カムプレートを
前記カムプレート
前記紙載台上のシート束の紙面に対する断裁刃の刃先角度を規制するカム手段と、
前記カム手段は、前記フレーム部材と前記カムプレートとの、一方に形成された溝カムと、他方に形成されたカムフォロアで構成され、
　そこで、本件補正後の前記請求項１に記載された発明（以下「本願補正発明」という）が特許出願の際独立して特許を受けることができるものであるか（特許法１７条の２第６項において準用する同法１２６条７項の規定に適合するか）について以下に検討する。
　
２　引用例およびその記載事項
（１）本願出願前に頒布され、原査定の拒絶の理由に引用された特開２００７−６１９６６号公報（以下「引用例１」という）には、「シート断裁装置およびこれを備えた製本装置」について、図面とともに、次の記載がある。
（ア）
「【請求項１】
 　単一又は束状のシートを保持するシート保持手段と、
 　上記シート保持手段に保持されたシートの少なくとも一端を裁断する裁断手段と、
 　上記シートの厚さを検知する厚さ検知手段と、
 　を備えたシート断裁装置であって、
 　上記裁断手段は、上記シート保持手段に保持されたシートから距離を隔てて離間した待機位置とシートを裁断する切断位置との間で移動自在の裁断刃と、この裁断刃を上記待機位置と上記切断位置との間で往復移動する駆動手段とで構成され、
　上記駆動手段は、上記待機位置を上記厚さ検知手段で検出したシートの厚さに応じて上記シートとの離間距離を異ならせるように制御する制御手段を備えていることを特徴とするシート断裁装置。」
（イ）
「【技術分野】
【０００１】
　本発明は、単一若しくは束状のシートの所定箇所を裁断するシート断裁装置及びこれを用いた製本装置に係わり、主に束状シートを裁断刃で裁断する際に確実に裁断すると共にシートの裁断を短時間で処理することの可能なシート断裁装置に関する。
【背景技術】
【０００２】
　一般に、コンピュータ、ワードプロセッサなどで作成した画像をプリンタ装置で印刷し、この印刷後の一連のシートを束状に整合してステップル綴じ、糊綴じなどを施す後処理装置は広く用いられている。また最近、各種業務用の冊子などを必要の都度出力する画像形成システムがオンディマンド印刷として活用されるに至っている。このようなシステムではプリンタから順次搬出される一連の文書の一端縁（背部）を糊付けし、この糊付け面を表紙シートの中央に合わせて折畳んで表裏の表紙面を自動装丁する製本装置が必要とされ、この場合に綴じ合わせた背部を除く周縁部を所定量裁断して冊子状にシート端縁を揃える断裁装置が提案されている。
【０００３】
　このような断裁装置では束状に綴じ合わせたシート束を裁断する場合には、円盤状のロータリ刃を回転させながらシートの一端から他端に移動する裁断方法と、ブレード状の平刃でシートの一端から他端に徐々に切断する裁断方法が知られている。前者はロータリ刃を高速で回転しながらシートを切り進むのに対して後者は平刃カッタを低速で徐々に大きな力でシートを切り進む特徴が知られている。後者の平刃カッタで切断する方法として従来例えば特許文献１に示されているように、テーブル上にシートを保持した状態でカッターブレードを油圧シリンダで徐々に押し下げシートの一端から他端に傾斜した刃先で徐々に切断するものが知られている。このカッターブレードはシートが１枚の場合も多数枚の場合も同一のストロークで待機位置からシートを貫通した切断位置の間で移動する構造になっている。」
（ウ）
「【００２９】
「シート断裁装置」
　次に、図２乃至図９に基づいて裁断部２３について説明する。裁断部２３は、裁断ステージと、裁断手段１２５とから構成され、裁断ステージは例えば後述の回転テーブル１２１とこれにシートを挟圧するグリッパ１２２とから成るシート保持手段（グリップ搬送手段）で構成され、裁断手段１２５は、例えば後述の裁断縁プレス手段１２０ｂ、１２０ｃと裁断刃１２０ａとから構成されている。上記搬入ローラ１１３の下流には表紙接着部６０からのシート束Ｓ１の所定個所を裁断して収納スタック部３４に搬出する搬送経路Ｔ４が設けられている。この搬送経路Ｔ４は一対の搬送ガイド１１９ａ、１１９ｂで前記搬送経路Ｔ３が略々水平方向であるのに対し略々鉛直方向に配置されている。そして搬送ガイド１１９ａは装置フレームに固定され、対向する搬送ガイド１１９ｂは可動で図５に示すようにシート束の厚さに応じてガイド間隔Ｌを大小に変更可能になっている。可動側の搬送ガイド１１９ｂは装置フレームに形成した突起ピン１１９ｃにスライド溝１１９ｄを嵌合され、ステッピングモータ１１９ｍで位置調節自在に構成されている。」
（エ）
「【００３３】
　上記回転テーブル１２１の下流側にはシートの裁断位置Ｘ−Ｘに裁断縁を挟圧保持する裁断縁プレス手段１２０ｂ、１２０ｃと裁断刃１２０ａが以下の構成で配置されている。まず裁断位置（図７（ｃ）で示すＸ−Ｘ）には刃受け部材１５０が設けられ、この刃受け部材１５０に対向して平刃状の裁断刃１２０ａが後述する構造で切断動作を行うようになっている。この刃受け部材１５０はシート裁断時の剪断力に打ち勝つようなブロック部材で構成され、その表面には刃受面１５０ａが合成樹脂、ゴムなどの軟質材で設けられている。これはシートを切断した後に刃先が刃受面１５０ａに突き当り、このとき刃先を損傷しないためである。
【００３４】
　そしてこの刃受け部材１５０と対向する位置に図９（ａ）に示すシート束Ｓ１の切断縁を押圧支持する裁断縁プレス手段１２０ｂ、１２０ｃが配置してある。この裁断縁プレス手段は押え部材１２０ｃと可動加圧板１２０ｂと加圧機構とで構成され、まずシートと接して押圧する押え部材１２０ｃはシートの切断方向にその全長に当接する板状部材で構成され、可動加圧板１２０ｂに固定してある。可動加圧板１２０ｂは回転軸（図示せず）を中心に回転自在で且つ、図９（ｂ）矢印方向に移動自在に装置フレームに取り付けてある。そして可動加圧板１２０ｂには長手方向左右に一対の加圧機構が設けられている。この左右の加圧機構は同一構造で加圧モータ１５３と、この加圧モータ１５３に連結された減速伝動歯車１５４と、この歯車に連結したボールネジ１５５と、このボールネジ１５５に噛合したスライダ１５６と、このスライダ１５６に固定したベルト１５７と、このベルト１５７を架け渡した可動プーリ１５８と、加圧スプリング１５９とから構成されている。」
（オ）
「【００３８】
　次に、裁断刃１２０ａは平刃カッタで構成され、図２に示すように回転テーブル１２１の下流側の裁断位置（図７（ｃ）にＸ−Ｘで示す）に配置され、図示水平方向に往復動自在に構成されている。その構成を図６に示す。裁断位置Ｘ−Ｘで水平方向に移動する裁断刃１２０ａは装置フレームにガイド支持されている。そして裁断刃１２０ａはガイドピン１７０と、カムピン１７１ａ、１７１ｂが植設され、ガイドピン１７０はフレームの逃げ溝１７２に挿通し、カムピン１７１ａ、１７１ｂはフレームに形成したカム溝１７３ａ、１７３ｂにそれぞれ嵌合してある。そこでガイドピン１７０には図示左右方向に移動するスライド部材１７４の係合溝１７４ａが嵌合してあり、スライド部材１７４にはボールネジ（以下スクリュネジという）１７５が嵌合してある。このスクリュネジ１７５には正逆転可能なＤＣモータで構成されたカッタ駆動モータ１７６が高速側電磁クラッチ１７７ａと低速側電磁クラッチ１７７ｂを介して連結してある。
【００３９】
　従ってカッタ駆動モータ１７６を駆動回転するとスクリュネジ１７５が回転し、スライド部材１７４を軸方向に移動し、高速側電磁クラッチ１７７ａでは高速で、低速側電磁クラッチ１７７ｂでは低速で移動する。このスライド部材１７４の移動でガイドピン１７０も軸方向に移動する。例えばカッタ駆動モータ１７６を時計方向に回転するとガイドピン１７０は図示右方向に移動し、反時計方向に回転すると図示左方向に移動し、このガイドピン１７０を植設した裁断刃１２０ａも同方向に高速又は低速で移動する。そして、この裁断刃１２０ａには左右に対を成すカムピン１７１ａ、１７１ｂが植設され、カム溝１７３ａ、１７３ｂに係合して図示上下方向に移動するようになっている。特に図示のカム溝１７３ａ、１７３ｂは裁断刃１２０ａが右に移動するとき案内する右カムＣ１ａ、Ｃ１ｂと左に移動するとき案内する左カムＣ２ａ、Ｃ２ｂがそれぞれ傾斜方向を異ならせて配置されている。
【００４０】
　従って図示位置（ホームポジション）から裁断刃１２０ａが右に移動すると右カムＣ１ａ、Ｃ１ｂに沿って裁断刃１２０ａは右方向に移動しながら降下して切断位置に移動する。同様に裁断刃１２０ａが左に移動すると左カムＣ２ａ、Ｃ２ｂに沿って左に移動しながら徐々に降下し切断位置に移動する。そして左右対を成す右カムＣ１ａ、Ｃ１ｂと左カムＣ２ａ、Ｃ２ｂとはそれぞれ傾斜角度（位相差）を異ならせて裁断刃１２０ａを右に移動するときには図８（ａ）のように傾斜させ、左に移動するときには図８（ｃ）のように傾斜させる。尚このカムは図６（ｂ）のホームポジションＨｐと切断位置Ｃｐでは裁断刃１２０ａを水平姿勢にする。
【００４１】
　つまり裁断刃１２０ａは右移動のとき水平姿勢から徐々に右端が低くなるように傾斜して徐々に降下し水平姿勢で切断位置Ｃｐに至り、左移動のときにも同様となる。このように裁断刃１２０ａを傾斜させたのはシート束Ｓ１をその一端から他端に徐々に切り進むようにするためであり、右傾斜と左傾斜にしたのは糊綴じ端の背部から小口部に切断するためであり例えば右傾斜で天部を裁断し、左傾斜で地部を裁断するためである。これは糊綴じした背部から反対側の小口部に向かって裁断することによって最も負荷の大きい背部（糊綴じ部）を先に裁断し、比較的負荷の小さい小口部で刃の側部に加わる切断済みのシート端面の摩擦負荷を受けるようにするためである。このよう裁断刃１２０ａを切断方向に向かって傾斜させて徐々に切り進むことによって切断負荷を最小限にして装置の小型、軽量化を図っている。尚、上記右カムＣ１ａ、Ｃ１ｂと左カムＣ２ａ、Ｃ２ｂは裁断刃１２０ａをそれぞれ反対方向に傾斜させることとなるがシートに対する傾斜角度は左右同一角度でこの剪断角度は例えば３０度など実験により好適な角度に設定してある。」
　
３　当審の判断
（１）引用発明
（カ）
　上記記載事項（オ）に、「裁断刃１２０ａはガイドピン１７０と、カムピン１７１ａ、１７１ｂが植設され、・・・ガイドピン１７０には図示左右方向に移動するスライド部材１７４の係合溝１７４ａが嵌合してあり、スライド部材１７４にはボールネジ（以下スクリュネジという）１７５が嵌合してある。このスクリュネジ１７５には正逆転可能なＤＣモータで構成されたカッタ駆動モータ１７６が高速側電磁クラッチ１７７ａと低速側電磁クラッチ１７７ｂを介して連結してある」とあること及び図６（ａ）から、カッタ駆動モータ１７６によって、裁断刃１２０ａが往復動されていることが開示されているといえる。
（キ）
　上記記載事項（オ）によれば、「裁断刃１２０ａはガイドピン１７０と、カムピン１７１ａ、１７１ｂが植設され、ガイドピン１７０はフレームの逃げ溝１７２に挿通し、カムピン１７１ａ、１７１ｂはフレームに形成したカム溝１７３ａ、１７３ｂにそれぞれ嵌合してある」こと及び図６（ａ）から、前記裁断刃を断裁方向に往復動可能に支持するフレームが開示されているといえる。
　上記記載事項（ア）〜（オ）及び上記認定事項（カ）〜（キ）並びに当業者の技術常識によれば、上記引用例１には、「刃受け部材上のシート束を所定の切断線に沿って一端から他端に徐々に断裁するシート束断裁装置であって、シート束を積載支持する刃受け部材と、平刃形状の裁断刃と、前記裁断刃を断裁方向に往復動可能に支持するフレームと、前記裁断刃を往復動するカッタ駆動モータと、前記刃受け部材上のシート束の紙面に対する裁断刃の刃先角度を規制するカム手段と、を備え、前記カム手段は、前記フレーム部材と前記裁断刃との、一方に形成されたカム溝と、他方に形成されたカムピンで構成されたシート束断裁装置」の発明（以下「引用例１発明」という）が記載されていると認められる。
　
（２）対比
　本願補正発明と引用例１発明とを比較すると、その機能及び作用からみて、引用例１発明の「刃受け部材」、「裁断刃」、「カッタ駆動モータ」、「カム溝」、「カムピン」は、それぞれ、本願補正発明の「紙載台」、「断裁刃」、「駆動手段」、「溝カム」、「カムフォロア」に相当する。
　そして、引用例１発明の「前記裁断刃を往復動するカッタ駆動モータ」と、本願補正発明の「前記カムプレートを往復動する駆動手段」とは、対象物を往復動する駆動手段である限りにおいて共通する。また、引用例１発明の「前記カム手段は、前記フレーム部材と前記裁断刃との、一方に形成されたカム溝と、他方に形成されたカムピンで構成された」ことと、本願補正発明の「前記カム手段は、前記フレーム部材と前記カムプレートとの、一方に形成された溝カムと、他方に形成されたカムフォロアで構成され」たこととは、「前記カム手段は、前記フレーム部材と対象物との、一方に形成されたカム溝と、他方に形成されたカムピンで構成された」ものである限りにおいて共通する。
　そうすると、両者は、
「紙載台上のシート束を所定の切断線に沿って一端から他端に徐々に断裁するシート束断裁装置であって、シート束を積載支持する紙載台と、平刃形状の断裁刃と、対象物を往復動する駆動手段と、前記紙載台上のシート束の紙面に対する断裁刃の刃先角度を規制するカム手段と、を備え、前記カム手段は、前記フレーム部材と前記対象物との、一方に形成されたカム溝と、他方に形成されたカムピンで構成されたシート束断裁装置」である点で一致し、以下の２点で相違している。
［相違点１］　本願補正発明は、断裁シートの紙面に対する前記断裁刃の刃先角度を、所定角度から切断深さに応じて徐々に減少させ切断終了時には実質的に零とする曲線状カム面を有しているのに対し、引用例１発明ではその点については不明である点。
［相違点２］　本願補正発明では、カムプレートを介して断裁刃を往復動し、前記カムプレートに形成されたカムフォロアで構成されるのに対して、引用例１発明では、カムプレートを介さず断裁刃に直接カムフォロアが形成される点。
　
（３）判断
［相違点１］について
　断裁シートの紙面に対する前記断裁刃の刃先角度を、所定角度から切断深さに応じて徐々に減少させ切断終了時には実質的に零とすることは、従来周知の事項である（たとえば、原審の拒絶理由通知においても示された実願平０１−０２６９２１号（実開平０２−１１７８９３号）のマイクロフィルムの第１２ページ第５−１９行及び図３、特開平０８−２６７３９５号公報の段落【００１６】などを参照）。かかる従来周知の事項を引用例１発明に適用することは、当業者であれば、格別困難性はない。
　なお、引用例１の上記記載事項（オ）には、「裁断刃１２０ａが左に移動すると左カムＣ２ａ、Ｃ２ｂに沿って左に移動しながら徐々に降下し切断位置に移動する。そして左右対を成す右カムＣ１ａ、Ｃ１ｂと左カムＣ２ａ、Ｃ２ｂとはそれぞれ傾斜角度（位相差）を異ならせて裁断刃１２０ａを右に移動するときには図８（ａ）のように傾斜させ、左に移動するときには図８（ｃ）のように傾斜させる。尚このカムは図６（ｂ）のホームポジションＨｐと切断位置Ｃｐでは裁断刃１２０ａを水平姿勢にする。・・・ つまり裁断刃１２０ａは右移動のとき水平姿勢から徐々に右端が低くなるように傾斜して徐々に降下し水平姿勢で切断位置Ｃｐに至り、左移動のときにも同様となる。」と記載されているように、引用例１には、ホームポジションＨｐでは、水平姿勢であって、その後、カムによって裁断刃を傾斜させ、切断位置Ｃｐでは、水平姿勢になることが記載されている。この記載からも、上記相違点１に係る補正発明の特定事項とすることは、容易に想到しえたことである。
　また、カム溝などの形状を曲線状にする等は、刃の動きを具現化するように当業者が適宜設定するものである。
　そうしてみると、引用例１発明において、上記従来周知の事項若しくは上記引用例１の記載事項から、断裁シートの紙面に対する前記断裁刃の刃先角度を、所定角度から切断深さに応じて徐々に減少させ切断終了時には実質的に零とし、曲線状カム面とするようにして、相違点１に係る本願補正発明の特定事項とすることは、当業者が容易に想到しうるものというのが相当である。
　
［相違点２］について
　刃を別のプレート状部材に保持させる構成は従来周知の事項である（実願平０１−０２６９２１号（実開平０２−１１７８９３号）のマイクロフィルムの切断刃取付け板９の下端に取り付けられた切断刃１１（図５）、特開平０８−２６７３９５号公報の刃支持体３３に設けられる刃板３４（図５）、特開２００８−２１３０８３号公報の刃先部材のみを交換可能なように刃保持部材２５ｂに取り付けられた刃先部材２５ａ（段落【００２９】）及び特開２００８−２１３１３３号公報の昇降フレーム５４に取り付けられた切断刃５５などを参照）。
　してみると、断裁刃によってシート束を断裁するシート断裁装置において、断裁を繰り返すうちに、断裁刃に摩耗等が生じて交換が必要となることは技術常識であるから、交換部位を最小限にとどめるために、刃先のみの交換性を考慮して、引用例１発明において、上記従来周知の構成を採用して相違点２にかかる本願補正発明の特定事項とすることは、当業者であれば、格別困難性はない。
　
　そして、本願補正発明の効果も、引用例１発明、引用例１の記載事項及び従来周知の事項から予測しうる範囲のものであって、格別なものとはいえない。
　
　したがって、本願補正発明は、引用例１発明、引用例１の記載事項及び従来周知の事項に基づいて、当業者が容易に発明をすることができたものであるから、特許法２９条２項の規定により特許出願の際独立して特許を受けることができないものである。
　
４　むすび
　以上のとおり、本件補正は、特許法１７条の２第６項で準用する同法１２６条７項の規定に違反するものであり、同法１５９条１項で準用する同法５３条１項の規定により却下されるべきものである。
　よって、上記［補正の却下の決定の結論］のとおり、決定する。
　
第３　本願発明について
１　本願発明
　平成２６年４月２５日付けの手続補正は上記のとおり却下されたので、本願の請求項１〜８に係る発明は、平成２５年１０月１７日付け手続補正書により補正された特許請求の範囲の請求項１〜８に記載された事項により特定されたものであると認められ、その特許請求の範囲の請求項１に記載された発明は、以下のとおりのものである。
　「紙載台上のシート束を所定の切断線に沿って一端から他端に徐々に断裁するシート束断裁装置であって、
シート束を積載支持する紙載台と、
平刃形状の断裁刃と、
前記断裁刃を断裁方向に往復動可能に支持するフレーム部材と、
前記断裁刃を往復動する駆動手段と、
を備え、
前記フレーム部材と前記断裁刃との間には、前記紙載台上のシート束の紙面に対する断裁刃の刃先角度を規制するカム手段が設けられ、
このカム手段は、断裁シートの紙面に対する前記断裁刃の刃先角度を、所定角度から切断深さに応じて徐々に減少させ切断終了時には実質的に零とする曲線状カム面を有していることを特徴とするシート束断裁装置」（以下「本願発明」という）　
　
２　引用例
　原査定の拒絶の理由に引用された上記引用例１の記載事項は、前記第２の３（１）に示したとおりである。
　
３　当審の判断
　本願発明は、前記第２で検討した本願補正発明の「カム手段」について、「素
前記断裁刃を取り付けるカムプレートと、前記カムプレートを
前記カムプレート
前記紙載台上のシート束の紙面に対する断裁刃の刃先角度を規制するカム手段と、
前記カム手段は、前記フレーム部材と前記カムプレートとの、一方に形成された溝カムと、他方に形成されたカムフォロアで構成され
　そうすると、本願発明の構成要件をすべて含み、さらに他の構成要件を付加したものに相当する本願補正発明が、前記第２の３に記載したとおり、引用例１発明、引用例１の記載事項及び従来周知の事項に基づいて、当業者が容易に発明をすることができたものであるから、本願発明も同様の理由により、引用例１発明、引用例１の記載事項及び従来周知の事項に基づいて、当業者が容易に発明をすることができたものである。　
　
４　むすび
　以上のとおり、本願発明は、引用例１発明、引用例１の記載事項及び従来周知の事項に基づいて、当業者が容易に発明をすることができたものであるから、特許法２９条２項の規定により特許を受けることができない。したがって、本願の他の請求項に係る発明を検討するまでもなく、本願は、拒絶をすべきものである。
　よって、結論のとおり審決する。